(57)【要約】  扁平捲回電極体の内側に生じたガスを電極体外に容易に放出できると共に、充放電により扁平捲回電極体から押し出された電解液（保持電解液）がそのまま扁平捲回電極体の外部に流出するのを抑制した電池、及び、このような電池の製造方法を提供することを課題とする。電池は、電極板を捲回してなり、横断面が扁平な長円形状で、活物質層形成部が捲回された活物質層捲回部、及び、箔露出部が捲回された露出捲回部を有する扁平捲回電極体と集電部材と保持電解液とを備え、露出捲回中央部は、自身と軸線方向に隣りあう活物質層捲回部との接続を保ちつつ、２つの露出捲回端部のうち少なくとも一方と切り離され、集電部材は、露出捲回中央部に接合してなる。
2013021463.tif 000002
【特許請求の範囲】
【請求項１】
帯状の金属箔における、その長手方向に延びる２つの端縁のうちの第１端縁に沿って、上記金属箔に活物質層を形成してなる帯状の活物質層形成部と、上記金属箔の上記２つの端縁のうちの第２端縁に沿って上記金属箔が露出した帯状の箔露出部と、を含む電極板を、捲回軸の周りに捲回してなり、
横断面が扁平な長円形状で、
上記活物質層形成部が捲回された活物質層捲回部、及び、
上記活物質層捲回部よりも上記捲回軸に沿う軸線方向の一方側に位置し、上記箔露出部が捲回された露出捲回部、を有する
扁平捲回電極体と、
金属からなり、上記扁平捲回電極体の上記露出捲回部に接合された集電部材と、
上記扁平捲回電極体の上記活物質層捲回部に保持された保持電解液と、を備える
電池であって、
上記露出捲回部のうち、
上記横断面がなす上記長円形状の長径方向の両端部にそれぞれ位置し、上記箔露出部がＲ状に曲げ返された部位をＲ状露出捲回部とし、
上記Ｒ状露出捲回部を含む部位を、露出捲回端部とし、
上記長径方向の中央部分に位置し、上記露出捲回端部同士に挟まれた部位を、露出捲回中央部としたとき、
上記露出捲回中央部は、
自身と上記軸線方向に隣りあう上記活物質層捲回部との接続を保ちつつ、２つの上記露出捲回端部のうち少なくとも一方と切り離され、
上記集電部材は、
上記露出捲回中央部に接合してなる
電池。
【請求項２】
請求項１に記載の電池であって、
前記露出捲回中央部は、
２つの前記露出捲回端部のいずれとも切り離されてなる
電池。
【請求項３】
請求項１又は請求項２に記載の電池であって、
前記露出捲回中央部は、
前記露出捲回部のうち、２つの前記Ｒ状露出捲回部以外の部位からなる
電池。
【請求項４】
帯状の金属箔における、その長手方向に延びる２つの端縁のうちの第１端縁に沿って、上記金属箔に活物質層を形成してなる帯状の活物質層形成部と、上記金属箔の上記２つの端縁のうちの第２端縁に沿って上記金属箔が露出した帯状の箔露出部と、を含む電極板を、捲回軸の周りに捲回してなり、
横断面が扁平な長円形状で、
上記活物質層形成部が捲回された活物質層捲回部、及び、
上記活物質層捲回部よりも上記捲回軸に沿う軸線方向の一方側に位置し、上記箔露出部が捲回された露出捲回部、を有する
扁平捲回電極体と、
金属からなり、上記扁平捲回電極体の上記露出捲回部に接合された集電部材と、
上記扁平捲回電極体の上記活物質層捲回部に保持された保持電解液と、を備え、
上記露出捲回部のうち、
上記横断面がなす上記長円形状の長径方向の両端部にそれぞれ位置し、上記箔露出部がＲ状に曲げ返された部位をＲ状露出捲回部とし、
上記Ｒ状露出捲回部を含む部位を、露出捲回端部とし、
上記長径方向の中央部分に位置し、上記露出捲回端部同士に挟まれた部位を、露出捲回中央部としたとき、
上記露出捲回中央部は、
自身と上記軸線方向に隣りあう上記活物質層捲回部との接続を保ちつつ、２つの上記露出捲回端部のうち少なくとも一方と切り離され、
上記集電部材は、
上記露出捲回中央部に接合してなる
電池の製造方法であって、
上記露出捲回部の上記露出捲回中央部と２つの上記露出捲回端部のうち少なくとも一方との間が切り離された上記扁平捲回電極体について、上記集電部材を上記露出捲回中央部に接合する接合工程を備える
電池の製造方法。
【発明の詳細な説明】
【技術分野】
【０００１】
本発明は、電極板を捲回軸の周りに捲回した、横断面が扁平な長円形状の扁平捲回電極体を備える電池、及び、この電池の製造方法に関する。
【背景技術】
【０００２】
近年、ハイブリッド自動車、電気自動車などの車両や、ノート型パソコン、ビデオカムコーダなどのポータブル電子機器の駆動用電源に、充放電可能なリチウムイオン二次電池（以下、単に電池ともいう）が利用されている。このような電池として、例えば、集電体（後述の電極板に対応）を捲回軸の周りに捲回し、横断面が扁平な長円形状とされた電極体（後述の扁平捲回電極体に対応）をなす集電体（電極板）の集電箔積層部分（後述の露出捲回部に対応）に、平板端子（後述の集電部材に対応）を接合している電池がある（例えば、特許文献１に記載の電池）。【０００３】
一方、特許文献２には、横断面が扁平な長円形状の電極群（後述の扁平捲回電極体に対応）において、横断面がなす長径方向の幅（寸法）Ｗ１が、この電極群（扁平捲回電極体）をなす正極及び負極（後述の電極板に対応）の無地部における同方向の幅（寸法）Ｗ２よりも大きい（Ｗ１＞Ｗ２）形態の電池が開示されている。具体的には、電極板の箔露出部を捲回してなる露出捲回部のうち、電極群（扁平捲回電極体）の横断面がなす長径方向の両端にそれぞれ位置する部位（後述の露出捲回端部に対応）が欠け、長径方向の中央に位置する部位（後述の露出捲回中央部に対応）が残存している電池が記載されている（例えば、特許文献２に記載の図２ｂ及び図２ｃ）。
【先行技術文献】
【特許文献】
【０００４】
【特許文献１】特開２００９−２６７０５号公報
【特許文献２】特開２００６−１２８１３２号公報
【発明の概要】
【発明が解決しようとする課題】
【０００５】
しかしながら、特許文献１に記載の電池では、集電部材と露出捲回部との接合箇所において、露出捲回部をなす箔露出部同士が密集している（例えば、特許文献１の図４に記載の薄肉部３３）。また、露出捲回部は、捲回軸の周りに一連の箔露出部を捲回して形成しているので、上述した接合箇所に近いほど、箔露出部のうち径方向に隣りあう部位同士の隙間が狭くなる形態とされる。このため、例えば初期充電などの電池反応により、扁平捲回電極体内において、電極板をなす活物質層間にガスが生じた場合、その活物質層間から扁平捲回電極体の外部にガスを放出し難い。【０００６】
これに対し、特許文献２に記載の電池は、扁平捲回電極体のうち、露出捲回部の一部を欠いている部位において、活物質層の端が扁平捲回電極体の外部と直接通ずる形態をなしている。このため、露出捲回中央部に集電部材を接合していても、その部位を通じて、活物質層同士の間に生じたガスを、その活物質層間から扁平捲回電極体の外部に確実に放出することができる。【０００７】
ところで、電池を充放電すると、活物質層が膨張・圧縮するため、活物質層同士の間に保持している電解液（保持電解液）の一部が、その活物質層同士の間から露出捲回部（即ち、箔露出部同士がなす隙間）に、さらには扁平捲回電極体の外部に押し出されることがある。このうち、露出捲回部（箔露出部同士の隙間）に押し出された電解液は、セパレータを通じて再び活物質層同士の間に戻ることができる。しかし、扁平捲回電極体の外部にまで押し出された電解液は、扁平捲回電極体とは離間した電池ケースの底部に溜まりやすく、扁平捲回電極体内の活物質層同士の間にまで戻り難い。【０００８】
一方、特許文献２に記載の電池では、前述のように扁平捲回電極体において露出捲回部の一部が欠けている。このため、充放電の際に、活物質層同士の間から押し出された電解液（保持電解液）の一部は、そのまま扁平捲回電極体外に流出してしまう。【０００９】
本発明は、かかる問題を鑑みてなされたものであって、扁平捲回電極体の内側に生じたガスを電極体外に容易に放出できると共に、充放電により扁平捲回電極体から押し出された電解液（保持電解液）が、そのまま扁平捲回電極体の外部に流出するのを抑制した電池、及び、このような電池の製造方法を提供することを目的とする。
【課題を解決するための手段】
【００１０】
本発明の一態様は、帯状の金属箔における、その長手方向に延びる２つの端縁のうちの第１端縁に沿って、上記金属箔に活物質層を形成してなる帯状の活物質層形成部と、上記金属箔の上記２つの端縁のうちの第２端縁に沿って上記金属箔が露出した帯状の箔露出部と、を含む電極板を、捲回軸の周りに捲回してなり、横断面が扁平な長円形状で、上記活物質層形成部が捲回された活物質層捲回部、及び、上記活物質層捲回部よりも上記捲回軸に沿う軸線方向の一方側に位置し、上記箔露出部が捲回された露出捲回部、を有する扁平捲回電極体と、金属からなり、上記扁平捲回電極体の上記露出捲回部に接合された集電部材と、上記扁平捲回電極体の上記活物質層捲回部に保持された保持電解液と、を備える電池であって、上記露出捲回部のうち、上記横断面がなす上記長円形状の長径方向の両端部にそれぞれ位置し、上記箔露出部がＲ状に曲げ返された部位をＲ状露出捲回部とし、上記Ｒ状露出捲回部を含む部位を、露出捲回端部とし、上記長径方向の中央部分に位置し、上記露出捲回端部同士に挟まれた部位を、露出捲回中央部としたとき、上記露出捲回中央部は、自身と上記軸線方向に隣りあう上記活物質層捲回部との接続を保ちつつ、２つの上記露出捲回端部のうち少なくとも一方と切り離され、上記集電部材は、上記露出捲回中央部に接合してなる電池である。【００１１】
上述の電池では、露出捲回中央部が２つの露出捲回端部のうち少なくとも一方と切り離され、集電部材が露出捲回中央部に接合している。このため、集電部材が露出捲回中央部に接合していても、露出捲回中央部と切り離されている側の露出捲回端部は、変形が抑制される。かくして、この切り離された側の露出捲回端部では、これをなす箔露出部同士の隙間を確保できる。従って、この露出捲回端部を通じて、活物質層同士の間に生じたガスを、扁平捲回電極体の外部に容易に放出することができる。【００１２】
また、上述の電池では、前述した特許文献２と異なり、露出捲回中央部に加えて、２つの露出捲回端部を有しているので、充放電の際に、活物質層同士の間から押し出された保持電解液を、一旦、露出捲回端部の箔露出部同士の間に保持しておくことができる。かくして、充放電により扁平捲回電極体から押し出された保持電解液が、そのまま扁平捲回電極体の外部に流出するのを抑制した電池とすることができる。【００１３】
なお、露出捲回部の形態としては、露出捲回中央部を２つの露出捲回端部のいずれか一方と切り離した形態のほか、露出捲回中央部を２つの露出捲回端部のいずれとも切り離した形態が挙げられる。このうち、露出捲回中央部を２つの露出捲回端部のいずれとも切り離した形態とすると、露出捲回中央部を露出捲回端部のいずれか一方と切り離した形態とした場合よりも、２つの露出捲回端部の両方において、集電部材と露出捲回中央部とを接合したことに伴う変形が生じるのを防止できる。これにより、両方の露出捲回端部で箔露出部同士の隙間を確保でき、より好ましい。【００１４】
また、露出捲回中央部と露出捲回端部とを切り離す形態としては、例えば、捲回軸に沿う軸線方向に直線状に延びる形態のスリットのほか、矩形波状、正弦波等の波状に延びるスリットで、露出捲回中央部と露出捲回端部とを切り離した形態が挙げられる。なお、直線状に延びるスリットで露出捲回中央部と露出捲回端部とを切り離す場合でも、軸線方向に平行に延びるスリット、軸線方向のうち、露出捲回部から活物質層捲回部に進むに連れて、露出捲回端部に徐々に近づくスリット、逆に露出捲回端部から徐々に遠のくスリットで切り離す形態が挙げられる。【００１５】
また、保持電解液を備える電池としては、例えば、電池内にある電解液の全てが保持電解液として活物質層捲回部に保持されているパターンのほか、電池内にある電解液のうち、大半が保持電解液とされる一方、残部は扁平捲回電極体の外部に保持電解液と相互に流通しない状態で少量存在するパターンも挙げられる。【００１６】
さらに、上述の電池であって、前記露出捲回中央部は、２つの前記露出捲回端部のいずれとも切り離されてなる電池とすると良い。【００１７】
上述の電池では、露出捲回中央部が２つの露出捲回端部のいずれとも切り離されてなるので、２つの露出捲回端部の両方において、集電部材と露出捲回中央部とを接合したことに伴う変形が生じるのを防止でき、各露出捲回端部をなす箔露出部同士の隙間を確保できる。従って、２つの露出捲回端部を通じて、活物質層同士の間に生じたガスを、扁平捲回電極体の外部に確実に放出できる電池とすることができる。【００１８】
さらに、上述のいずれかの電池であって、前記露出捲回中央部は、前記露出捲回部のうち、２つの前記Ｒ状露出捲回部以外の部位からなる電池とすると良い。【００１９】
上述の電池では、露出捲回部のうち、Ｒ状露出捲回部以外の部位を露出捲回中央部としている。つまり、露出捲回中央部を、長径方向に最も長い寸法で確保している。このため、露出捲回中央部と活物質層捲回部とを最も低抵抗で接続した電池とすることができる。【００２０】
本発明の他の態様は、帯状の金属箔における、その長手方向に延びる２つの端縁のうちの第１端縁に沿って、上記金属箔に活物質層を形成してなる帯状の活物質層形成部と、上記金属箔の上記２つの端縁のうちの第２端縁に沿って上記金属箔が露出した帯状の箔露出部と、を含む電極板を、捲回軸の周りに捲回してなり、横断面が扁平な長円形状で、上記活物質層形成部が捲回された活物質層捲回部、及び、上記活物質層捲回部よりも上記捲回軸に沿う軸線方向の一方側に位置し、上記箔露出部が捲回された露出捲回部、を有する扁平捲回電極体と、金属からなり、上記扁平捲回電極体の上記露出捲回部に接合された集電部材と、上記扁平捲回電極体の上記活物質層捲回部に保持された保持電解液と、を備え、上記露出捲回部のうち、上記横断面がなす上記長円形状の長径方向の両端部にそれぞれ位置し、上記箔露出部がＲ状に曲げ返された部位をＲ状露出捲回部とし、上記Ｒ状露出捲回部を含む部位を、露出捲回端部とし、上記長径方向の中央部分に位置し、上記露出捲回端部同士に挟まれた部位を、露出捲回中央部としたとき、上記露出捲回中央部は、自身と上記軸線方向に隣りあう上記活物質層捲回部との接続を保ちつつ、２つの上記露出捲回端部のうち少なくとも一方と切り離され、上記集電部材は、上記露出捲回中央部に接合してなる電池の製造方法であって、上記露出捲回部の上記露出捲回中央部と２つの上記露出捲回端部のうち少なくとも一方との間が切り離された上記扁平捲回電極体について、上記集電部材を上記露出捲回中央部に接合する接合工程を備える電池の製造方法である。【００２１】
上述の電池の製造方法では、露出捲回部のうち、露出捲回端部から既に切り離された扁平捲回電極体の露出捲回中央部に集電部材を接合する接合工程を備える。このため、集電部材を接合することで、露出捲回中央部が変形しても、これと切り離された露出捲回端部には応力が掛かり難いため、露出捲回端部をなす箔露出部同士の隙間が狭くなるのを抑制して電池を製造することができる。
【図面の簡単な説明】
【００２２】
【図１】実施形態，変形形態１，変形形態２にかかる電池の斜視図である。
【図２】実施形態，変形形態１にかかる電池の断面図（図１のＡ−Ａ断面）である。
【図３】実施形態，変形形態１にかかる電池の断面図（図２のＢ−Ｂ端面，Ｃ−Ｃ端面）である。
【図４】実施形態，変形形態１，変形形態２の正極板（負極板）の斜視図である。
【図５】実施形態，変形形態２にかかる電池の製造方法の説明図である。
【図６】実施形態，変形形態１，変形形態２にかかる電池の製造方法の接合工程の説明図である。
【図７】変形形態１にかかる電池の製造方法の説明図である。
【図８】変形形態２にかかる電池の断面図（図１のＡ−Ａ断面）である。
【図９】電池の他の形態を示す説明図である。
【図１０】電池の他の形態を示す説明図である。
【図１１】電池の他の形態を示す説明図である。
【図１２】電池の他の形態を示す説明図である。
【図１３】電池の他の形態を示す説明図である。
【図１４】電池の他の形態を示す説明図である。
【符号の説明】
【００２３】
１，１０１，２０１，３０１，４０１，５０１，６０１，７０１  電池
１０，１１０，２１０，３１０，４１０，５１０，６１０，７１０  電極体（扁平捲回電極体）
１１，１１１，２１１，３１１，４１１，５１１，６１１，７１１  正極露出捲回部（露出捲回部）
１１Ｃ，１１１Ｃ，２１１Ｃ，３１１Ｃ，４１１Ｃ，５１１Ｃ，６１１Ｃ，７１１Ｃ  正極露出捲回中央部（露出捲回中央部）
１１Ｘ，１１１Ｘ，２１１Ｘ，３１１Ｘ，４１１Ｘ，５１１Ｘ，６１１Ｘ，７１１Ｘ  第１正極露出捲回端部（露出捲回端部）
１１Ｙ，１１１Ｙ，２１１Ｙ，３１１Ｙ，４１１Ｙ，５１１Ｙ，６１１Ｙ，７１１Ｙ  第２正極露出捲回端部（露出捲回端部）
１２Ａ  第１正極Ｒ状露出捲回部（Ｒ状露出捲回部）
１２Ｂ  第２正極Ｒ状露出捲回部（Ｒ状露出捲回部）
１３  正極平板状露出捲回部（露出捲回部のうち２つのＲ状露出捲回部以外の部位）
１４  正極活物質層捲回部（活物質層捲回部）
１６，１１６，２１６，３１６  負極露出捲回部（露出捲回部）
１６Ｃ，１１６Ｃ，２１６Ｃ，３１６Ｃ  負極露出捲回中央部（露出捲回中央部）
１６Ｘ，１１６Ｘ，２１６Ｘ，３１６Ｘ  第１負極露出捲回端部（露出捲回端部）
１６Ｙ，１１６Ｙ，２１６Ｙ，３１６Ｙ  第２負極露出捲回端部（露出捲回端部）
１７Ａ  第１負極Ｒ状露出捲回部（Ｒ状露出捲回部）
１７Ｂ  第２負極Ｒ状露出捲回部（Ｒ状露出捲回部）
１８  負極平板状露出捲回部（露出捲回部のうち２つのＲ状露出捲回部以外の部位）
１９  負極活物質層捲回部（活物質層捲回部）
２０  正極板（電極板）
２０Ｆ  正極活物質層形成部（活物質層形成部）
２０Ｇ  正極箔露出部（箔露出部）
２１  正極活物質層（活物質層）
２８  正極箔（金属箔）
２８Ｓ  第１正極端縁（第１端縁）
２８Ｔ  第２正極端縁（第２端縁）
３０  負極板（電極板）
３０Ｆ  負極活物質層形成部（活物質層形成部）
３０Ｇ  負極箔露出部（箔露出部）
３１  負極活物質層（活物質層）
３８  負極箔（金属箔）
３８Ｓ  第１負極端縁（第１端縁）
３８Ｔ  第２負極端縁（第２端縁）
５０，１５０  正極集電部材（集電部材）
６０，１６０  負極集電部材（集電部材）
７０  保持電解液
ＡＸ  捲回軸
ＤＡ  長手方向
ＤＬ  長径方向
ＤＸ  軸線方向
ＤＸ１  一方側
ＤＸ２  他方側（（軸線方向）の一方側）
ＰＪ  横断面
Ｓ１，Ｓ２，Ｓ３，Ｓ４  スリット
【発明を実施するための形態】
【００２４】
（実施形態）
次に、本発明の実施形態に係る電池について、図面を参照しつつ説明する。まず、実施形態にかかる電池１について、図１〜３を参照して説明する。この電池１は、いずれも帯状の正極板２０、負極板３０及びセパレータ４０を有し、これら正極板２０と負極板３０との間にセパレータ４０を介在させて、捲回軸ＡＸの周りに捲回した扁平形状の電極体１０を備える（図１，２参照）。また、この電極体１０の正極板２０に接合された正極集電部材５０、負極板３０に接合された負極集電部材６０、及び、電極体１０内（後述する正極活物質層捲回部１４，負極活物質層捲回部１９）に保持された保持電解液７０を備える（図１，２参照）。これらのほか、電極体１０及び保持電解液７０を内部に収容する電池ケース８０を備える。
【００２５】
このうち、電池ケース８０は、共にアルミニウム製の電池ケース本体８１及び封口蓋８２を有する。このうち電池ケース本体８１は有底矩形箱形であり、この電池ケース本体８１と電極体１０との間には、樹脂からなり、箱状に折り曲げた絶縁フィルム（図示しない）が介在させてある。
【００２６】
また、封口蓋８２は矩形板状であり、電池ケース本体８１の開口を閉塞して、この電池ケース本体８１に溶接されている。この封口蓋８２は、正極集電部材５０を電池ケース８０の内部から外部に貫通させるための第１貫通孔８２Ｘ、及び、負極集電部材６０を電池ケース８０の内部から外部に貫通させるための第２貫通孔８２Ｙを有する（図２参照）。なお、第１貫通孔８２Ｘと正極集電部材５０との間、及び、第２貫通孔８２Ｙと負極集電部材６０との間には、それぞれ絶縁性の樹脂からなる絶縁部材９５が介在し、互いを絶縁している。また、封口蓋８２の蓋表面８２ａには、第１貫通孔８２Ｘと第２貫通孔８２Ｙとの間の位置に、矩形板状の安全弁９７が封着されている。
【００２７】
また、アルミニウム製の正極集電部材５０は、クランク形状を有する（図１〜３参照）。この正極集電部材５０は、基端側（電極体１０側）に位置し、正極板２０（後述する正極露出捲回中央部１１Ｃ）と接合する正極接合部５１と、先端側（電池ケース８０の外側）に位置し、電池１の正極側の外部端子をなす正極端子部５２と、これら正極接合部５１と正極端子部５２との間に位置する本体部５３とからなる（図２参照）。
【００２８】
このうち、正極接合部５１は、図３に示すように、本体部５３から厚み方向にクランク状に屈曲して延び、本体部５３よりも電極体１０の中心側に近づく形態となっている。そして、正極接合部５１は、正極露出捲回中央部１１Ｃ（後述）をなす正極箔露出部２０Ｇの部分同士を、電極体１０の横断面ＰＪ（後述）がなす長円形状の短径方向ＤＳに集めた状態で、この正極露出捲回中央部１１Ｃと接合している（図３参照）。このため、正極露出捲回中央部１１Ｃ（これをなす正極箔露出部２０Ｇの各部分）は、短径方向ＤＳに潰された形態に変形している（図３参照）。
【００２９】
また、銅からなる負極集電部材６０は、正極集電部材５０と同様、クランク形状を有する（図１〜３参照）。この負極集電部材６０は、基端側（電極体１０）に位置し、負極板３０（後述する負極露出捲回中央部１６Ｃ）と接合する負極接合部６１と、先端側（電池ケース８０の外側）に位置し、電池１の負極側の外部端子をなす負極端子部６２と、これら負極接合部６１と負極端子部６２との間に位置する本体部６３とからなる（図２参照）。
【００３０】
このうち、負極接合部６１は、図３に示すように、本体部６３から厚み方向にクランク状に屈曲して延び、本体部６３よりも電極体１０の中心側に近づく形態となっている。そして、負極接合部６１は、負極露出捲回中央部１６Ｃ（後述）をなす負極箔露出部３０Ｇの部分同士を短径方向ＤＳに集めた状態で、この負極露出捲回中央部１６Ｃと接合している（図３参照）。このため、負極露出捲回中央部１６Ｃ（これをなす負極箔露出部３０Ｇの各部分）は、短径方向ＤＳに潰された形態に変形している（図３参照）。
【００３１】
また、保持電解液７０は、エチレンカーボネート（ＥＣ）とエチルメチルカーボネート（ＥＭＣ）との混合有機溶媒に溶質（ＬｉＰＦ６）を添加してなる。なお、本実施形態にかかる電池１では、電池１内にある電解液の全てが保持電解液７０として、後述する正極活物質層捲回部１４、負極活物質層捲回部１９、及び、これらとの間に配置された次述のセパレータ４０に保持されている。
【００３２】
また、電極体１０は、図１に示すように、正極板２０、負極板３０及びセパレータ４０を捲回軸ＡＸの周りに扁平形状に捲回されてなる扁平捲回電極体である。なお、この電極体１０を捲回軸ＡＸに垂直に切断した横断面ＰＪ（図１のハッチング部分）は、扁平な長円形状をなしている（図１参照）。この電極体１０のうち、ポリエチレンからなる多孔質状のセパレータ４０は、保持電解液７０を自身に含浸・保持しつつ、正極板２０と負極板３０とを離間している。
【００３３】
また、正極板２０は、図４の斜視図に示すように、長手方向ＤＡに延びる帯状で、アルミニウムからなる正極箔２８と、この正極箔２８の両主面２８Ａ，２８Ａにそれぞれ帯状に配置された２つの正極活物質層２１，２１とを有している。このうち、正極箔２８は、長手方向ＤＡに延びる２つの端縁（第１正極端縁２８Ｓ及び第２正極端縁２８Ｔ）を有している（図４参照）。そして、正極板２０は、正極箔２８の第１正極端縁２８Ｓに沿って、正極箔２８に正極活物質層２１を形成してなる帯状の正極活物質層形成部２０Ｆと、正極箔２８の第２正極端縁２８Ｔに沿って正極箔２８が露出した帯状の正極箔露出部２０Ｇとを有している（図４参照）。
【００３４】
また、負極板３０は、図４の斜視図に示すように、長手方向ＤＡに延びる帯状で、銅製の負極箔３８と、この負極箔３８の両主面３８Ａ，３８Ａにそれぞれ帯状に配置された２つの負極活物質層３１，３１とを有している。このうち、負極箔３８は、正極箔２８と同様、長手方向ＤＡに延びる２つの端縁（第１負極端縁３８Ｓ及び第２負極端縁３８Ｔ）を有している（図４参照）。そして、負極板３０は、正極板２０と同様、負極箔３８の第１負極端縁３８Ｓに沿って、負極箔３８に負極活物質層３１を形成してなる帯状の負極活物質層形成部３０Ｆと、負極箔３８の第２負極端縁３８Ｔに沿って負極箔３８が露出した帯状の負極箔露出部３０Ｇとを有している（図４参照）。
【００３５】
上述した正極板２０、負極板３０及びセパレータ４０を有する電極体１０は、正極活物質層形成部２０Ｆを捲回してなる正極活物質層捲回部１４、及び、負極活物質層形成部３０Ｆを捲回してなる負極活物質層捲回部１９を有する。また、正極活物質層捲回部１４よりも捲回軸ＡＸに沿う軸線方向ＤＸの一方側ＤＸ１（図２中、左側）に位置し、正極箔露出部２０Ｇを捲回した正極露出捲回部１１と、負極活物質層捲回部１９よりも軸線方向ＤＸの他方側ＤＸ２（図２中、右側）に位置し、負極箔露出部３０Ｇを捲回した負極露出捲回部１６とを有する。
【００３６】
このうち、正極露出捲回部１１は、前述した長円形状の横断面ＰＪにおける長径方向ＤＬの両端部にそれぞれ位置し、正極箔露出部２０ＧがＲ状に曲げ返されてできている２つの第１正極Ｒ状露出捲回部１２Ａ，第２正極Ｒ状露出捲回部１２Ｂと、これら正極Ｒ状露出捲回部１２Ａ，１２Ｂの間に位置し、正極箔露出部２０Ｇが平板状にひろがる正極平板状露出捲回部１３とからなる。
【００３７】
また、この正極露出捲回部１１は、軸線方向ＤＸに延びる直線形状の２つのスリットＳ１，Ｓ１を有している（図２参照）。これら２つのスリットＳ１，Ｓ１は、図２に示すように、正極露出捲回部１１を長径方向ＤＬに３つの部位に分割している。そこで、これら３つの部位のうち、正極露出捲回部１１の、図２中、上方に位置し、第１正極Ｒ状露出捲回部１２Ａを含む部位を第１正極露出捲回端部１１Ｘとする。また、正極露出捲回部１１の、図２中、下方に位置し、第２正極Ｒ状露出捲回部１２Ｂを含む部位を第２正極露出捲回端部１１Ｙとする。さらに、正極露出捲回部１１の、長径方向ＤＬの中央部分に位置し、第１正極露出捲回端部１１Ｘ及び第２正極露出捲回端部１１Ｙに挟まれた部位を、正極露出捲回中央部１１Ｃとする。なお、本実施形態では、第１正極露出捲回端部１１Ｘは、第１正極Ｒ状露出捲回部１２Ａ、及び、正極平板状露出捲回部１３のうち第１正極Ｒ状露出捲回部１２Ａと隣接する一部からなる。また、第２正極露出捲回端部１１Ｙは、第２正極Ｒ状露出捲回部１２Ｂ、及び、正極平板状露出捲回部１３のうち第２正極Ｒ状露出捲回部１２Ｂと隣接する一部からなる。
【００３８】
また、この正極露出捲回中央部１１Ｃは、自身と軸線方向ＤＸに隣りあう正極活物質層捲回部１４との接続を保ちつつ、２つのスリットＳ１，Ｓ１により、第１正極露出捲回端部１１Ｘ及び第２正極露出捲回端部１１Ｙのいずれとも切り離されている。さらに、この正極露出捲回中央部１１Ｃには、前述した正極集電部材５０の正極接合部５１が溶着して接合している。即ち、超音波溶接により、正極集電部材５０の正極接合部５１が、第１正極露出捲回端部１１Ｘのこの正極露出捲回中央部１１Ｃに溶接されている。
【００３９】
また、負極露出捲回部１６は、前述した長径方向ＤＬの両端部にそれぞれ位置し、負極箔露出部３０ＧがＲ状に曲げ返されてできている２つの第１負極Ｒ状露出捲回部１７Ａ，第２負極Ｒ状露出捲回部１７Ｂと、これら負極Ｒ状露出捲回部１７Ａ，１７Ｂの間に位置し、負極箔露出部３０Ｇが平板状にひろがる負極平板状露出捲回部１８とからなる。
【００４０】
また、この負極露出捲回部１６は、軸線方向ＤＸに延びる直線形状の２つのスリットＳ２，Ｓ２を有している（図２参照）。これら２つのスリットＳ２，Ｓ２は、図２に示すように、正極側と同様に、負極露出捲回部１６を長径方向ＤＬに３つの部位に分割している。そこで、これら３つの部位のうち、負極露出捲回部１６の、図２中、上方に位置し、第１負極Ｒ状露出捲回部１７Ａを含む部位を第１負極露出捲回端部１６Ｘとする。また、負極露出捲回部１６の、図２中、下方に位置し、第２負極Ｒ状露出捲回部１７Ｂを含む部位を第２負極露出捲回端部１６Ｙとする。さらに、負極露出捲回部１６の、長径方向ＤＬの中央部分に位置し、第１負極露出捲回端部１６Ｘ及び第２負極露出捲回端部１６Ｙに挟まれた部位を、負極露出捲回中央部１６Ｃとする。なお、本実施形態では、第１負極露出捲回端部１６Ｘは、第１負極Ｒ状露出捲回部１７Ａ、及び、負極平板状露出捲回部１８のうち第１負極Ｒ状露出捲回部１７Ａと隣接する一部からなる。また、第２負極露出捲回端部１６Ｙは、第２負極Ｒ状露出捲回部１７Ｂ、及び、負極平板状露出捲回部１８のうち第２負極Ｒ状露出捲回部１７Ｂと隣接する一部からなる。
【００４１】
また、この負極露出捲回中央部１６Ｃは、自身と軸線方向ＤＸに隣りあう負極活物質層捲回部１９との接続を保ちつつ、２つのスリットＳ２，Ｓ２により、第１負極露出捲回端部１６Ｘ及び第２負極露出捲回端部１６Ｙのいずれとも切り離されている。さらに、この負極露出捲回中央部１６Ｃには、前述した負極集電部材６０の負極接合部６１が溶着して接合している。即ち、抵抗溶接により、負極集電部材６０の負極接合部６１が、第１負極露出捲回端部１６Ｘのこの負極露出捲回中央部１６Ｃに溶接されている。
【００４２】
以上に説明したように、本実施形態にかかる電池１では、正極露出捲回中央部１１Ｃが２つの正極露出捲回端部（第１正極露出捲回端部１１Ｘ及び第２正極露出捲回端部１１Ｙ）と切り離され、正極集電部材５０が正極露出捲回中央部１１Ｃに接合している。このため、正極集電部材５０が正極露出捲回中央部１１Ｃに接合していても、正極露出捲回中央部１１Ｃと切り離されている第１正極露出捲回端部１１Ｘ及び第２正極露出捲回端部１１Ｙは、変形が抑制される。かくして、これら第１正極露出捲回端部１１Ｘ及び第２正極露出捲回端部１１Ｙでは、これらをなす正極箔露出部２０Ｇ同士の隙間を確保できる。従って、これら第１正極露出捲回端部１１Ｘ及び第２正極露出捲回端部１１Ｙを通じて、活物質層（正極活物質層２１及び負極活物質層３１）同士の間に生じたガスを電極体１０の外部に容易に放出することができる。
【００４３】
また、この電池１では、前述した特許文献２と異なり、正極露出捲回中央部１１Ｃに加えて、第１正極露出捲回端部１１Ｘ及び第２正極露出捲回端部１１Ｙが除去されずに残されている。このため、充放電の際に、物質層同士の間から押し出された保持電解液７０を、一旦、第１正極露出捲回端部１１Ｘ及び第２正極露出捲回端部１１Ｙの正極箔露出部２０Ｇ同士の間に保持しておくことができる。かくして、充放電により電極体１０から押し出された保持電解液７０が、そのまま電極体１０の外部に流出するのを抑制した電池１とすることができる。
【００４４】
また、負極側も同様である。即ち、負極露出捲回中央部１６Ｃが２つの負極露出捲回端部（第１負極露出捲回端部１６Ｘ及び第２負極露出捲回端部１６Ｙ）と切り離され、負極集電部材６０が負極露出捲回中央部１６Ｃに接合している。このため、負極集電部材６０が負極露出捲回中央部１６Ｃに接合していても、負極露出捲回中央部１６Ｃと切り離されている第１負極露出捲回端部１６Ｘ及び第２負極露出捲回端部１６Ｙは、変形が抑制される。かくして、これら第１負極露出捲回端部１６Ｘ及び第２負極露出捲回端部１６Ｙでは、これらをなす負極箔露出部３０Ｇ同士の隙間を確保できる。従って、これら第１負極露出捲回端部１６Ｘ及び第２負極露出捲回端部１６Ｙを通じて、活物質層（正極活物質層２１及び負極活物質層３１）同士の間に生じたガスを電極体１０の外部に容易に放出することができる。
【００４５】
また、この電池１では、前述した特許文献２と異なり、負極露出捲回中央部１６Ｃに加えて、第１負極露出捲回端部１６Ｘ及び第２負極露出捲回端部１６Ｙを有しているので、充放電の際に、正極側と同様、物質層同士の間から押し出された保持電解液７０を、一旦、第１負極露出捲回端部１６Ｘ及び第２負極露出捲回端部１６Ｙの負極箔露出部３０Ｇ同士の間に保持しておくことができる。かくして、充放電により電極体１０から押し出された保持電解液７０が、そのまま電極体１０の外部に流出するのを抑制した電池１とすることができる。
【００４６】
また、電池１では、正極露出捲回中央部１１Ｃが２つの正極露出捲回端部（第１正極露出捲回端部１１Ｘ及び第２正極露出捲回端部１１Ｙ）のいずれとも切り離されてなる。このため、第１正極露出捲回端部１１Ｘ及び第２正極露出捲回端部１１Ｙの両方において、正極集電部材５０と正極露出捲回中央部１１Ｃとを接合したことに伴う変形が生じるのを防止でき、第１正極露出捲回端部１１Ｘ及び第２正極露出捲回端部１１Ｙをなす正極箔露出部２０Ｇ同士の隙間を確保できる。従って、活物質層同士の間に生じたガスを、その活物質層同士の間から電極体１０の外部に確実に放出できる電池１とすることができる。
【００４７】
また、負極側についても同様に、負極露出捲回中央部１６Ｃが２つの負極露出捲回端部（第１負極露出捲回端部１６Ｘ及び第２負極露出捲回端部１６Ｙ）のいずれとも切り離されてなる。このため、第１負極露出捲回端部１６Ｘ及び第２負極露出捲回端部１６Ｙの両方において、負極集電部材６０と負極露出捲回中央部１６Ｃとを接合したことに伴う変形が生じるのを防止でき、第１負極露出捲回端部１６Ｘ及び第２負極露出捲回端部１６Ｙをなす負極箔露出部３０Ｇ同士の隙間を確保できる。従って、活物質層同士の間に生じたガスを、その活物質層同士の間から電極体１０の外部に確実に放出できる電池１とすることができる。
【００４８】
次いで、本実施形態にかかる電池１の製造方法について、図面を参照しつつ説明する。まず、電極体１０をなす正極板２０を公知の手法で作製する。かくして、正極箔２８の第１正極端縁２８Ｓに沿う帯状の正極活物質層形成部２０Ｆと、正極箔２８の第２正極端縁２８Ｔに沿う帯状の正極箔露出部２０Ｇとを有している正極板２０を作製した（図４参照）。
【００４９】
また、負極板３０も公知の手法で作製する。かくして、負極箔３８の第１負極端縁３８Ｓに沿う帯状の負極活物質層形成部３０Ｆと、負極箔３８の第２負極端縁３８Ｔに沿う帯状の負極箔露出部３０Ｇとを有している負極板３０を作製した（図４参照）。
【００５０】
次いで、作製した正極板２０及び負極板３０を、前述した２つの帯状のセパレータ４０，４０と共に円筒状に捲回した。このとき、正極板２０の正極箔露出部２０Ｇと、負極板３０の負極箔露出部３０Ｇとが、軸線方向ＤＸ、互いに逆側に位置するように捲回する。その後、円筒面を両側から押し潰して、横断面が扁平な長円形状で扁平捲回型のスリット形成前電極体１０Ｂとした（図５（ａ）参照）。
【００５１】
次いで、正極露出捲回部１１に２つのスリットＳ１，Ｓ１を、負極露出捲回部１６に２つのスリットＳ２，Ｓ２をそれぞれ形成するスリット形成工程について説明する。この工程では、公知のスリッタ（裁断機）を用いて、正極露出捲回部１１を、前述した正極露出捲回中央部１１Ｃ、第１正極露出捲回端部１１Ｘ及び第２正極露出捲回端部１１Ｙに切り離す２つのスリットＳ１，Ｓ１を、上述のスリット形成前電極体１０Ｂにおける正極露出捲回部１１に形成する。また、負極露出捲回部１６を、前述した負極露出捲回中央部１６Ｃ、第１負極露出捲回端部１６Ｘ及び第２負極露出捲回端部１６Ｙに切り離す２つのスリットＳ２，Ｓ２を、スリット形成前電極体１０Ｂにおける負極露出捲回部１６に形成する。なお、スリットＳ１，Ｓ２はいずれも、軸線方向ＤＸに沿って直線状に延びた形態とされている。
【００５２】
かくして、正極露出捲回部１１の正極露出捲回中央部１１Ｃと第１正極露出捲回端部１１Ｘ及び第２正極露出捲回端部１１Ｙのいずれとも切り離され、かつ、負極露出捲回部１６の負極露出捲回中央部１６Ｃと第１負極露出捲回端部１６Ｘ及び第２負極露出捲回端部１６Ｙのいずれとも切り離された電極体１０ができあがる（図５（ｂ）参照）。
【００５３】
次いで、接合工程について説明する。まず、第１貫通孔８２Ｘに正極集電部材５０の正極端子部５２（本体部５３）を、第２貫通孔８２Ｙに負極集電部材６０の負極端子部６２（本体部６３）をそれぞれ貫通させて、絶縁部材９５で予め一体成形した封口蓋８２を用意する。
【００５４】
そして、上述した電極体１０（即ち、正極露出捲回部１１の正極露出捲回中央部１１Ｃと第１正極露出捲回端部１１Ｘ及び第２正極露出捲回端部１１Ｙのいずれとも切り離された電極体１０）の正極露出捲回中央部１１Ｃを、正極集電部材５０の正極接合部５１と図示しない溶接用ブロックとの間に挟み、正極露出捲回中央部１１Ｃ（これをなす正極箔露出部２０Ｇの各部分）を短径方向ＤＳに押し潰す。
【００５５】
続いて、正極集電部材５０と正極露出捲回中央部１１Ｃとを超音波溶接する。具体的には、公知の超音波溶接機を用いて、正極集電部材５０の正極接合部５１と正極露出捲回中央部１１Ｃとを超音波溶接する。これにより、正極集電部材５０と電極体１０とが接合される。
【００５６】
また、負極側について、正極と同様にして行う。但し、負極集電部材６０と負極露出捲回中央部１６Ｃとを、公知の抵抗溶接機を用いて抵抗溶接する点が異なる。かくして、正極側と同様、負極集電部材６０と電極体１０とが接合される。
【００５７】
その後、電極体１０を電池ケース本体８１に収容し、この電極体１０と接合する正極集電部材５０及び負極集電部材６０が貫通する封口蓋８２で電池ケース本体８１を溶接で封口する。さらに、図示しない注液孔から電解液を注液し、電池ケース８０内を−８０ｋＰａに減圧しながら注液孔を封止し、その後初期充電を行って電池１を完成させる（図１〜３参照）。
【００５８】
なお、上述の初期充電では、２５℃の温度環境下において、電池１の電圧（端子間電圧）が４．１Ｖとなるまで、１Ｃの電流値で充電し、その後、この電圧を保持して電流値が０．０２Ｃになるまで充電した（定電流−定電圧充電）。このときの充電時間は８５分間であった。
【００５９】
また、本発明者らは、本実施形態にかかる電池１とは異なり、電極体の正極露出捲回部及び負極露出捲回部のいずれにもスリットを有しない電池（以下、比較電池ともいう）の製造において、同様の初期充電を行った。このときの充電時間は８８分間であり、本実施形態にかかる電池１の充電時間の方が短いことが判る。
【００６０】
これは、初期充電により活物質層間に発生したガスがそのまま活物質層間に停滞すると、正極活物質層と負極活物質層との間に電解液が一部存在できないため、活物質層との間にガスが停滞しない電池に比べて、充電反応の進行が遅くなってしまうと考えられる。また、比較電池は、露出捲回部にスリットを有しないため、集電部材と露出捲回部との接合箇所、及び、この接合箇所に近いほど、箔露出部のうち径方向に隣りあう部位同士の隙間が狭くなっている。一方、前述した接合工程を行った電池１は、図６（ｂ）に示すように、露出捲回中央部における箔露出部同士の隙間が狭くなっているが、露出捲回端部における箔露出部同士の隙間を確保している。つまり、本実施形態にかかる電池１の方が、比較電池よりも、初期充電により活物質層間に発生したガスを、露出捲回部（露出捲回端部）を通じて、電極体の外部に放出させやすい形態であるためと考えられる。
【００６１】
本実施形態にかかる電池１の製造方法では、正極露出捲回部１１のうち、第１正極露出捲回端部１１Ｘ及び第２正極露出捲回端部１１Ｙから既に切り離された電極体１０の正極露出捲回中央部１１Ｃに正極集電部材５０を接合する接合工程を備える。このため、正極露出捲回中央部１１Ｃに正極集電部材５０を接合することで、この正極露出捲回中央部１１Ｃが変形しても、これと切り離された第１正極露出捲回端部１１Ｘ及び第２正極露出捲回端部１１Ｙには応力が掛かり難い。従って、第１正極露出捲回端部１１Ｘ及び第２正極露出捲回端部１１Ｙをなす正極箔露出部２０Ｇ同士の隙間が狭くなるのを抑制して電池１を製造することができる。
【００６２】
また、負極側についても正極側と同様、負極露出捲回部１６のうち、第１負極露出捲回端部１６Ｘ及び第２負極露出捲回端部１６Ｙから既に切り離された電極体１０の負極露出捲回中央部１６Ｃに負極集電部材６０を接合する接合工程を備える。このため、負極露出捲回中央部１６Ｃに負極集電部材６０を接合することで、この負極露出捲回中央部１６Ｃが変形しても、これと切り離された第１負極露出捲回端部１６Ｘ及び第２負極露出捲回端部１６Ｙには応力が掛かり難い。従って、第１負極露出捲回端部１６Ｘ及び第２負極露出捲回端部１６Ｙをなす負極箔露出部３０Ｇ同士の隙間が狭くなるのを抑制して電池１を製造することができる。
【００６３】
（変形形態１）
次に、本発明の変形形態１について、図面を参照しつつ説明する。本変形形態１は、円筒形の電極体の露出捲回部にスリットを形成してから扁平捲回電極体とする点で、上述した実施形態と異なる。そこで、実施形態と異なる点を中心に説明し、同様の部分の説明は省略又は簡略化する。なお、同様の部分については同様の作用効果を生じる。また、同内容のものには同番号を付して説明する。
【００６４】
本変形形態１にかかる電池１の製造方法について、図面を参照しつつ説明する。まず、公知の方法で作製した正極板２０及び負極板３０を、２つの帯状のセパレータ４０，４０と共に捲回軸ＡＸの周りに円筒形状に捲回した。このとき、実施形態と同様、正極板２０の正極箔露出部２０Ｇと、負極板３０の負極箔露出部３０Ｇとが、軸線方向ＤＸ、互いに逆側に位置するように捲回する。かくして、円筒捲回型のスリット形成前電極体１０Ｊができあがる（図７（ａ）参照）。
【００６５】
次いで、正極露出捲回部１１（負極露出捲回部１６）にスリットＳ１（Ｓ２）を形成する工程について説明する。なお、本変形形態１では、円筒捲回型のスリット形成前電極体１０ＪにスリットＳ１，Ｓ２を形成する点で、扁平捲回型のスリット形成前電極体１０ＢにスリットＳ１，Ｓ２を形成する実施形態とは異なる。
【００６６】
即ち、この工程では、公知のスリッタ（裁断機）を用いて、円筒捲回型のスリット形成前電極体１０Ｊの正極露出捲回部１１に、軸線方向ＤＸに沿う直線状に延びる２つのスリットＳ１，Ｓ１を形成した（図７（ｂ）参照）。具体的には、スリッタを用いて、形成する２つのスリットＳ１，Ｓ１で捲回軸ＡＸを挟むように、正極露出捲回部１１に軸線方向ＤＸに沿う直線状に延びる２つのスリットＳ１，Ｓ１を形成した。
【００６７】
また、負極側についても同様、円筒捲回型のスリット形成前電極体１０Ｊの負極露出捲回部１６に、軸線方向ＤＸに沿う直線状に延びる２つのスリットＳ２，Ｓ２を形成した（図７（ｂ）参照）。かくして、２つのスリットＳ１，Ｓ１、及び、２つのスリットＳ２，Ｓ２を有する、円筒捲回型の電極体１０Ｋができる。
【００６８】
次いで、円筒捲回型の電極体１０Ｋの円筒面を押し潰して扁平捲回型に変形させる。これにより、前述した実施形態と同様の電極体１０ができあがる（図５（ｂ）参照）。
【００６９】
なお、変形工程の後は、前述した実施形態と同様にして電池１を製造するので、説明を省略する。
【００７０】
（変形形態２）
次に、本発明の変形形態２について、図面を参照しつつ説明する。本変形形態２の電池１０１は、実施形態と同様、露出捲回部を、２つの露出捲回端部及び露出捲回中央部に分ける２つのスリットを有している。但し、露出捲回中央部が、実施形態よりも長径方向ＤＬに長くされて、露出捲回部のうち２つのＲ状露出捲回部以外の部位からなる点で、上述した実施形態の電池１と異なる。
【００７１】
即ち、本変形形態２の電極体１１０における正極露出捲回部１１１は、図８に示すように、前述した実施形態と同様の、第１正極Ｒ状露出捲回部１２Ａ、第２正極Ｒ状露出捲回部１２Ｂ及び正極平板状露出捲回部１３からなる。
【００７２】
但し、本変形形態２では、第１正極露出捲回端部１１１Ｘは、第１正極Ｒ状露出捲回部１２Ａからなり、第２正極露出捲回端部１１１Ｙは、第２正極Ｒ状露出捲回部１２Ｂからなり、正極露出捲回中央部１１１Ｃは、正極露出捲回部１１１のうち、２つの正極Ｒ状露出捲回部１２Ａ，１２Ｂ以外の部位である正極平板状露出捲回部１３からなる。
【００７３】
また、負極露出捲回部１１６は、図８に示すように、前述した実施形態と同様の、第１負極Ｒ状露出捲回部１７Ａ、第２負極Ｒ状露出捲回部１７Ｂ及び負極平板状露出捲回部１８からなる。
【００７４】
但し、本変形形態２では、第１負極露出捲回端部１１６Ｘは、第１負極Ｒ状露出捲回部１７Ａからなり、第２負極露出捲回端部１１６Ｙは、第２負極Ｒ状露出捲回部１７Ｂからなり、負極露出捲回中央部１１６Ｃは、負極露出捲回部１１６のうち、２つの負極Ｒ状露出捲回部１７Ａ，１７Ｂ以外の部位である負極平板状露出捲回部１８からなる。
【００７５】
実施形態と同様の構成により同様の作用効果を奏するのに加えて、本変形形態２にかかる電池１０１では、正極露出捲回部１１１のうち、正極Ｒ状露出捲回部１２Ａ，１２Ｂ以外の部位である正極平板状露出捲回部１３を正極露出捲回中央部１１１Ｃとしている。つまり、正極露出捲回中央部１１１Ｃを、長径方向ＤＬに最も長い寸法で確保している。このため、正極露出捲回中央部１１１Ｃと正極活物質層捲回部１４とを最も低抵抗で接続した電池１０１とすることができる。
【００７６】
また、負極側も同様である。即ち、負極露出捲回部１１６のうち、負極Ｒ状露出捲回部１７Ａ，１７Ｂ以外の部位である負極平板状露出捲回部１８を負極露出捲回中央部１１６Ｃとしている。つまり、負極露出捲回中央部１１６Ｃを、長径方向ＤＬに最も長い寸法で確保している。このため、負極露出捲回中央部１１６Ｃと負極活物質層捲回部１９とを最も低抵抗で接続した電池１０１とすることができる。
【００７７】
以上において、本発明を実施形態、変形形態１及び変形形態２に即して説明したが、本発明は上記実施形態等に限定されるものではなく、その要旨を逸脱しない範囲で、適宜変更して適用できることは言うまでもない。
【００７８】
例えば、実施形態等では、２つのスリットＳ１，Ｓ１によって、正極露出捲回中央部１１Ｃ（１１１Ｃ）を２つの正極露出捲回端部１１Ｘ，１１Ｙ（１１１Ｘ，１１１Ｙ）のいずれとも切り離した形態を示した（例えば、図２，８参照）。しかし、１つのスリットＳ１によって、正極露出捲回中央部２１１Ｃ（３１１Ｃ）を２つの正極露出捲回端部２１１Ｘ，２１１Ｙ（３１１Ｘ，３１１Ｙ）のいずれか一方と切り離した電極体２１０（３１０）を備える電池２０１（３０１）としても良い（図９，１０参照）。また、負極側について、１つのスリットＳ２によって、負極露出捲回中央部２１６Ｃ（３１６Ｃ）を２つの負極露出捲回端部２１６Ｘ，２１６Ｙ（３１６Ｘ，３１６Ｙ）のいずれか一方と切り離した電極体２１０（３１０）を備える電池２０１（３０１）としても良い（図９，１０参照）。
【００７９】
また、実施形態等では、露出捲回中央部１１Ｃ（１６Ｃ，１１１Ｃ，１１６Ｃ）と露出捲回端部１１Ｘ（１１Ｙ，１６Ｘ，１６Ｙ，１１１Ｘ，１１１Ｙ，１１６Ｘ，１１６Ｙ）とを切り離す形態として、直線状に延びる形態のスリットＳ１，Ｓ２を形成した例を示した（例えば、図２，８参照）。しかし、他の形態のスリット、例えば、矩形波状、正弦波等の波状に延びるスリットで、露出捲回中央部と露出捲回端部とを切り離すこともできる。
【００８０】
また、実施形態等では、軸線方向ＤＸに沿って平行に延びるスリットＳ１，Ｓ２を例示した。しかし、例えば、図１１，１２に示すように、軸線方向ＤＸのうち、正極露出捲回部４１１（５１１）側から正極活物質層捲回部１４側（図中、右方）に進むに連れて、正極露出捲回中央部４１１Ｃ（５１１Ｃ）から正極露出捲回端部４１１Ｘ，４１１Ｙ（５１１Ｘ，５１１Ｙ）に徐々に近づく形態のスリットＳ３で切り離された電極体４１０（５１０）を備える電池４０１（５０１）としても良い。また、負極側についても同様である。
【００８１】
逆に、例えば、図１３，１４に示すように、軸線方向ＤＸのうち、正極露出捲回部６１１（７１１）側から正極活物質層捲回部１４側（図中、右方）に進むに連れて、正極露出捲回端部６１１Ｘ，６１１Ｙ（７１１Ｘ，７１１Ｙ）から徐々に遠のいて、正極露出捲回中央部６１１Ｃ（７１１Ｃ）に近づく形態のスリットＳ５で切り離された電極体６１０（７１０）を備える電池６０１（７０１）としても良い。また、負極側についても同様である。
【図１】
2013021463.tif 000003
【図２】
2013021463.tif 000004
【図３】
2013021463.tif 000005
【図４】
2013021463.tif 000006
【図５】
2013021463.tif 000007
【図６】
2013021463.tif 000008
【図７】
2013021463.tif 000009
【図８】
2013021463.tif 000010
【図９】
2013021463.tif 000011
【図１０】
2013021463.tif 000012
【図１１】
2013021463.tif 000013
【図１２】
2013021463.tif 000014
【図１３】
2013021463.tif 000015
【図１４】
2013021463.tif 000016
【国際調査報告】
2013021463.tif 000017
2013021463.tif 000018
2013021463.tif 000019
2013021463.tif 000020